(57)【要約】      （修正有）【課題】組み立てが容易で搬送もし易い仮囲い及び仮囲い用フレームを提供する。【解決手段】第１の矩形枠体６の枠内に第２の矩形枠体７を配設して長辺同士を中間部で回転可能に連結したリンクユニット９の複数を端部同士で連結することにより横方向に伸縮自在とされた折り畳み式スタンド４と、折り畳み式スタンド４の伸長方向一方端に連結された第１の連結棒１３ａ、１３ｂと、折り畳み式スタンド４の伸長方向他方端に連結された第２の連結棒１４ａ、１４ｂと、第１及び第２の連結棒１３ａ、１３ｂ、１４ａ、１４ｂの各々に縦方向に伸縮自在に取り付けられて仮囲い用シートを張るための支柱５ａ〜５ｅと、を備える。【選択図】図１
0003175406.tif 000002
【実用新案登録請求の範囲】
【請求項１】
第１の矩形枠体の枠内に該第１の矩形枠体より短辺及び長辺が短い第２の矩形枠体を配設して長辺同士を中間部で回転可能に連結したリンクユニットの複数を、隣り合うリンクユニットの第１の矩形枠体の端部枠内に第２の矩形枠体の端部を互いに干渉しないように配設してそれら端部の長辺同士を回転可能に連結する様式で、連結することにより横方向に伸縮自在とされた折り畳み式スタンドと、
前記折り畳み式スタンドの伸長方向一方端において、前記第１の矩形枠体の長辺下部を回転自在に連結するともに前記第２の矩形枠体の長辺上部を摺動自在に連結する第１の連結棒と、
前記折り畳み式スタンドの伸長方向他方端において、前記第２の矩形枠体の長辺下部を回転自在に連結するともに前記第１の矩形枠体の長辺上部を摺動自在に連結する第２の連結棒と、
前記第１及び第２の連結棒の各々に縦方向に伸縮自在に取り付けられて仮囲い用シートを張るための支柱と、
を備えることを特徴とする仮囲い用フレーム。
【請求項２】
前記第１の連結棒が前記折畳み式スタンドの伸長方向一方端に一対設けられ、前記第２の連結棒が前記折畳み式スタンドの伸長方向他方端に一対設けられていることを特徴とする請求項１に記載の仮囲い用フレーム。
【請求項３】
前記折り畳み式スタンドの伸長方向両端間の中間位置において、平行に隣り合う一対の第１の矩形枠体の一方の長辺下部を回転自在に連結するとともに他方の第１の矩形枠体の長辺上部を摺動自在に連結する第３の連結棒と、該第３の連結棒に伸縮自在に取り付けられて仮囲い用シートを張るための支柱と、を更に備えることを特徴とする請求項１又は２に記載の仮囲い用フレーム。
【請求項４】
前記第１の矩形枠体は、該第１の矩形枠体の下方短辺から長辺の外側に延出する接地片を備えること特徴とする請求項１〜３の何れかに記載の仮囲い用フレーム。
【請求項５】
前記連結棒が中空部材であって長さ方向に延びるスリットが形成され、前記矩形枠体の長辺所要部に鍔部付き連結ピンが突設され、該鍔部付きピンの軸部を前記スリットに摺動自在に挿入し前記鍔部を該スリットから抜けないように前記連結棒の中空内部に収容することにより、前記矩形枠体が前記連結棒に摺動自在に連結されていることを特徴とする請求項１〜４の何れかに記載の仮囲い用フレーム。
【請求項６】
前記連結棒に中空棒状の鞘体が連結され、該鞘体に前記支柱が出没自在に挿入されていることを特徴とする請求項１〜５の何れかに記載の仮囲い用フレーム。
【請求項７】
前記第１及び第２の連結棒に中空棒状の鞘体が連結されるとともに該鞘体に前記支柱が出没自在に挿入され、前記鞘体は、前記折り畳み式スタンドの折畳み時に該折り畳み式スタンドの４隅から所定距離だけ該折り畳み式スタンドの伸長方向外側にはみ出して配置されるように、前記連結棒にブラケットを介して互いに平行に取り付けられていることを特徴とする請求項２に記載の仮囲い用フレーム。
【請求項８】
前記支柱に形成されて該支柱の長さ方向に延びる凹溝と、前記鞘体に螺入されて前記凹溝の溝底に当接可能なストッパー螺子と、を更に備えることを特徴とする請求項６又は７に記載の仮囲い用フレーム。
【請求項９】
前記ストッパー螺子は、仮囲い用シートを固定するための紐を通すリング体を一体的に備えていることを特徴とする請求項８に記載の仮囲い用フレーム。
【請求項１０】
前記支柱に形成されて該支柱の長さ方向に延びる凹溝と、前記鞘体に取り付けられて前記凹溝の溝底を弾性的に押圧することにより前記支柱の自由落下に対する摩擦抵抗を付与する弾圧部材と、を更に備えることを特徴とする請求項６又は７に記載の仮囲い用フレーム。
【請求項１１】
請求項１〜１０の何れかに記載の仮囲い用フレームと、前記支柱の上端部に被せて係止するキャップ体を備える仮囲い用シートと、を備えることを特徴とする仮囲い。
【考案の詳細な説明】
【技術分野】
【０００１】
本考案は、建築現場やイベント会場等で囲いの必要な面積に応じて仮設する仮囲い及びそのフレームに関する。
【背景技術】
【０００２】
従来、この種の考案として、設置面に固定した支柱にシートを張設するものが知られている（例えば特許文献１等）。
【先行技術文献】
【特許文献】
【０００３】
【特許文献１】特開２００２−１６７９７３号公報
【考案の開示】
【考案が解決しようとする課題】
【０００４】
しかしながら、従来の囲いは、仮設現場への搬送時には部品点数が多く長尺の部品もあって搬送しにくい上、部品を紛失する場合もあり、さらに、組み立て作業に手間がかかるという問題がある。
【０００５】
そこで、本考案は、組み立てが容易で搬送もし易い仮囲い及び仮囲い用フレームを提供することを主たる目的とする。
【課題を解決するための手段】
【０００６】
上記目的を達成するため、本考案に係る仮囲い用フレームは、第１の矩形枠体の枠内に該第１の矩形枠体より短辺及び長辺が短い第２の矩形枠体を配設して長辺同士を中間部で回転可能に連結したリンクユニットの複数を、隣り合うリンクユニットの第１の矩形枠体の端部枠内に第２の矩形枠体の端部を互いに干渉しないように配設してそれら端部の長辺同士を回転可能に連結する様式で、連結することにより横方向に伸縮自在とされた折り畳み式スタンドと、前記折り畳み式スタンドの伸長方向一方端において第１の矩形枠体の長辺下部を回転自在に連結するとともに第２の矩形枠体の長辺上部を摺動自在に連結する第１の連結棒と、前記折り畳み式スタンドの伸長方向他方端において第２の矩形枠体の長辺下部を回転自在に連結するとともに第１の矩形枠体の長辺上部を摺動自在に連結する第２の連結棒と、前記第１及び第２の連結棒の各々に縦方向に伸縮自在に取り付けられて仮囲い用シートを張るための支柱と、を備えることを特徴とする。
【０００７】
前記第１の連結棒が前記折畳み式スタンドの伸長方向一方端に一対設けられ、前記第２の連結棒が前記折畳み式スタンドの伸長方向他方端に一対設けられていることが好ましい。
【０００８】
前記折り畳み式スタンドの伸長方向両端間において、平行に隣り合う一対の第１の矩形枠体の一方の長辺下部を回転自在に連結するとともに他方の第１の矩形枠体の長辺上部を摺動自在に連結する第３の連結棒と、該第３の連結棒に伸縮自在に取り付けられて仮囲い用シートを張るための支柱と、を更に備えることが好ましい。
【０００９】
前記第１の矩形枠体は、該第１の矩形枠体の下方短辺から長辺の外側に延出する接地片を備えることが好ましい。
【００１０】
前記連結棒が中空部材であって長さ方向に延びるスリットが形成され、前記矩形枠体の長辺所要部に鍔部付き連結ピンが突設され、該鍔部付きピンの軸部を前記スリットに摺動自在に挿入し前記鍔部を該スリットから抜けないように前記連結棒の中空内部に収容することにより、前記矩形枠体が連結棒に摺動自在に連結されていることが好ましい。
【００１１】
前記連結棒に中空棒状の鞘体が連結され、該鞘体に前記支柱が出没自在に挿入されていることが好ましい。
【００１２】
前記鞘体は、前記折り畳み式スタンドの折畳み時に該折り畳み式スタンドの４隅から所定距離だけ伸長方向外側にはみ出して配置されるように、前記連結棒にブラケットを介して互いに平行に取り付けられていることが好ましい。
【００１３】
前記支柱に形成されて該支柱の長さ方向に延びる凹溝と、前記鞘体に螺入されて前記凹溝の溝底に当接可能なストッパー螺子と、を更に備えることが好ましい。
【００１４】
前記ストッパー螺子は、仮囲い用シートを固定するための紐を通すリング体を一体的に備えていることが好ましい。
【００１５】
前記支柱に形成されて該支柱の長さ方向に延びる凹溝と、前記鞘体に取り付けられて前記凹溝の溝底に弾性的に圧接することにより前記支柱の自由落下に対する摩擦抵抗を付与する弾圧部材とを更に備えることが好ましい。
【００１６】
また、本考案に係る仮囲いは、上記仮囲い用フレームと、前記支柱の上端部に被せて係止するキャップ体を備える仮囲い用シートと、を備えることを特徴とする。
【考案の効果】
【００１７】
本考案によれば、縦横方向に縮めてコンパクト化することができるため運搬時に嵩張らず、また、設置時には折り畳み式スタンドと支柱を伸ばして組立てるので設置作業も迅速かつ簡単に行うことができ、しかも、仮囲い用フレームの構成部品が連結或いは螺着されているので部品の喪失等も無い。
【図面の簡単な説明】
【００１８】
【図１】本考案に係る仮囲いの一実施形態を示す分解斜視図である。
【図２】図１の仮囲い用フレームであって、支柱を縮めた後に折り畳む途中の状態を示す背面図である。
【図３】図１の仮囲い用フレームを折り畳んだ状態を示す斜視図である。
【図４】図１の仮囲いをコ字状に配置した状態を概念的に示す平面図である。
【図５】図１の仮囲い用フレームの一部を拡大して示す斜視図である。
【図６】図５のＶＩ視断面図である。
【図７】図１の仮囲い用フレームを折り畳んで設置した状態を示す概念図である。
【図８】図５のＶＩＩＩ視断面図である。
【考案を実施するための形態】
【００１９】
本考案に係る仮囲い及びそのフレームの実施形態について、以下に図面を参照しつつ説明する。なお、全図を通し、同一又は類似の構成部分には同符号を付した。
【００２０】
本考案の仮囲い１は、図１に示すように、仮囲い用フレーム２と仮囲い用シート３を備える。仮囲い用フレーム２は、伸縮リンク機構により横方向に伸縮自在な折り畳み式スタンド４と、折り畳み式スタンド４に縦方向に伸縮自在に取り付けられた支柱５ａ、５ｂ、５ｃ、５ｄ、５ｅとを備える。仮囲い用シート３は、支柱５ａ〜５ｅに張設される。
【００２１】
折り畳み式スタンド４は、短辺６ａ及び長辺６ｂからなる第１の矩形枠体６の枠内に第１の矩形枠体６より短辺７ａ及び長辺７ｂが短い第２の矩形枠体７を配設して長辺６ｂ、７ｂ同士をその中間部で連結軸８により回転可能に連結してリンクユニット９とし、複数のリンクユニット９…を連結することにより横方向に伸縮自在に構成されている。
【００２２】
複数のリンクユニット９…は、隣り合うリンクユニット９、９の第１の矩形枠体６の端部枠内に第２の矩形枠体７の端部を配設してそれら端部の長辺６ｂ、７ｂ同士を連結軸１０，１１により回転可能に連結する様式で、連結されている。この場合、図２及び図３から分かるように、隣り合うリンクユニット９、９の連結箇所では、折り畳み式スタンド４を縮めた際に第１の矩形枠体６の内側に第２の矩形枠体７が収容されるように配置することにより、第１の矩形枠体６の端部と第２の矩形枠体７の端部とが互いに干渉しないように配設されて連結されている。
【００２３】
折り畳み式スタンド４の伸長方向（図１のＸ方向）の一方端において、第１の連結棒１３ａ、１３ｂが、第１の矩形枠体６の長辺下部６ｂ１を回転自在に連結するともに、第２の矩形枠体７の長辺上部７ｂ１を摺動自在に連結している。なお、図２から分かるように、第１の連結棒１３ａ、１３ｂが連結される第２の矩形枠体７は、他の第２の矩形枠体７に比べて、長辺７ｂの長さが上方に少し長くなっている。
【００２４】
また、折り畳み式スタンド４の伸長方向（図１のＸ方向）の他方端において、第２の連結棒１４ａ、１４ｂが、第２の矩形枠体７の長辺下部７ｂ２を回転自在に連結するともに、第１の矩形枠体６の長辺上部６ｂ２を摺動自在に連結している。
【００２５】
図示例では、第１の連結棒１３ａ、１３ｂが折り畳み式スタンド４の伸長方向（図１のＸ方向）の一方端に一対設けられ、第２の連結棒１４ａ、１４ｂが折り畳み式スタンド４の伸長方向（Ｘ方向）の他方端に一対設けられて、合計４本の連結棒が設けられているが、第１及び第２の連結棒は、各々１本ずつ（例えば１３ｂ、１４ｂの２本のみ）とすることもできる。
【００２６】
折り畳み式スタンド４の４隅に連結棒を配置することで、図４に一部概略にて示すように、複数の仮囲い１…を用いて配置する際、特にコーナー部分Ｃで、仮囲い用シート３が途切れることなく配置することができる。
【００２７】
さらに、折り畳み式スタンド４の伸長方向両端の中間位置に第３の連結棒１５を備えることができる。第３の連結棒１５は、平行リンクにより平行に隣り合う一対の第１の矩形枠体６、６のうち、一方の第１の矩形枠体６の長辺下部を連結軸１１ａで回転自在に連結するとともに、他方の第１の矩形枠体６の長辺上部６ｂ３を摺動自在に連結している。第３の連結棒１５にも、仮囲い用シート３を張るための支柱５ｅが伸縮自在に取り付けられる。中間の連結棒１５は、２本以上を平行に設けることもできる。
【００２８】
図５及び図６に連結棒１４ｂのみを拡大して示すが、連結棒１３〜１５は、中空部材であって長さ方向に延びるスリット１６が形成されている。そして、図５及び図６に第１の矩形枠体６のみを示すが、第１（第２）の体矩形枠体６（７）の長辺６ｂ（７ｂ）の所要部に鍔部付き連結ピン１７が突設され、鍔部付き連結ピン１７の軸部１７ａをスリット１６に摺動自在に挿入し鍔部１７ｂをスリット１６から抜けないように連結棒１４（１３，１５）の中空内部に収容することにより、矩形枠体６（７）が連結棒１４（１３，１５）に摺動自在に連結される。なお、符号１７ｃはスペーサ、符号１７ｄはナットを示している。
【００２９】
第１〜第３の連結棒１３、１４、１５の各々に、中空棒状の鞘体２０が連結され、鞘体２０に支柱５ａ〜５ｅが出没自在に挿入されている。
【００３０】
鞘体２０は、連結棒１３、１４、１５にブラケット２１を介して取り付けられている。折り畳み式スタンド４の４隅の連結棒１３ａ、１３ｂ、１４ａ、１４ｂに取り付けられた鞘体２０は、折り畳みスタンド４の折畳み時に折り畳み式スタンド４の４隅から所定距離ｄ（図７）だけ伸長方向（図７のＸ方向）外側にはみ出して配置されるようになっている。そうすることで、折り畳み式スタンド４を折畳んで運搬する際等に、図７に折畳んだ状態を概念的に示すように、平行に延びる２本の鞘体２０が設置面Ｇに当接するので、安定して置くことができ、或いは、安定して積み重ねることができる。
【００３１】
折り畳み式スタンド４は、図１，２に示すように、複数の第１の矩形枠体６の其々の下方の短辺６ａが設置面に接地するため、倒れにくく、安定的に設置することができる。なお、複数の第２の矩形枠体７のうち、図１の左端の第２の矩形枠体７だけが、その他の第２の矩形枠体７よりも下方に少し長くなっていて、下方の短辺７ａが設置面に接地するようになっている。設置面に接地する第１及び第２の矩形枠体６、７の下方の短辺６ａ，７ａには、其々の接地面に滑り止めのゴム材（図示せず）が取り付けられる。さらに、第１の矩形枠体６の下方の短辺６ａから長辺６ｂより外側に延出する接地片６ａ１を設けることにより、強風等に対する安定性をいっそう高めることができる。
【００３２】
支柱５を所定高さ位置で固定するために、図５及び図８に示すように、支柱５には長さ方向に延びる凹溝２２が形成され、凹溝２２の溝底に当接可能なストッパー螺子２３が鞘体２０に螺入されている。凹溝２２は支柱５の長さ方向に延びているため、ストッパー螺子２３が凹溝２２に嵌っていても、支柱５の伸縮が妨げられることはない。ストッパー螺子２３は、リング体２３ａを一体的に備えており、このリング体２３ａに、仮囲い用シート３に縫い付けられた紐３ａ（図１）を通し、仮囲いシート３をリング体２３ａにくくりつけることができる。
【００３３】
支柱５の上部には仮囲い用シート３を紐３ａ等で固定する場合のリング２４（図１）や鉤状（不図示）の突起物が形成され得る。このようなリング２４等の突起物があると、支柱５が伸びきった状態でストッパー螺子２３を緩めた際に、支柱５が急激に落下し、かなりのスピードでリング２４等の突起物が手にあたる等の不具合も考えられるため、支柱５が上昇位置から下降位置にゆっくりと落下するように、図８に示すように、支柱５の長さ方向に延びる凹溝２２の溝底に弾性的に圧接する弾圧部材２５を鞘体２０に取り付けることができる。弾圧部材２５は、凹溝２２の溝底に弾性的に押圧されることにより、支柱５の自由落下に対する摩擦抵抗を付与し、支柱５をゆっくりと落下させることができる。図示例の弾圧部材２５は、Ｕ字状に曲げたステンレス板２５ａの一辺を鞘体２０の内面にリベット２５ｂで留めることにより、ステンレス板２５ａの他辺が凹溝２２の溝底に弾性的に圧接して摩擦抵抗を付与し、支柱５の急激な落下を防ぐことができる。
【００３４】
支柱５に張設される仮囲い用シート３は、支柱５の上端部に被せて係止するキャップ体３ｃ（図１）を備えることができる。仮囲い用シート３を支柱５に張設するには、先ずキャップ体３ｃを支柱５の上端部に被せておいてから、紐３ａ、３ｂを支柱５にくくりつけることで、効率良い張設作業が行える。
【００３５】
上記構成を有する仮囲いによれば、図３に示すように縦横方向に縮めてコンパクト化することができるため運搬時に嵩張らず、また、設置時には折り畳み式スタンド４と支柱５を伸ばすことにより組立てることができるので設置作業も迅速かつ簡単に行うことができ、しかも、仮囲い用フレーム２は構成部品が連結或いは螺着されているので部品の喪失等も無い。
【符号の説明】
【００３６】
１  仮囲い
２  仮囲い用フレーム
３  仮囲い用シート
３ｃ  キャップ体
４  折り畳み式スタンド
５（５ａ，５ｂ，５ｃ，５ｄ，５ｅ）  支柱
６  第１の矩形枠体
６ａ１  接地片
７  第２の矩形枠体
９  リンクユニット
１３（１３ａ、１３ｂ）  第１の連結棒
１４（１４ａ、１４ｂ）  第２の連結棒
１５  第３の連結棒
１６  スリット
１７  鍔部付き連結ピン
２０  鞘体
２１  ブラケット
２２  凹溝
２３  ストッパー螺子
２３ａ  リング体
２５  弾圧部材
【図１】
0003175406.tif 000003
【図２】
0003175406.tif 000004
【図３】
0003175406.tif 000005
【図４】
0003175406.tif 000006
【図５】
0003175406.tif 000007
【図６】
0003175406.tif 000008
【図７】
0003175406.tif 000009
【図８】
0003175406.tif 000010